(57)【特許請求の範囲】
【請求項１】
映像信号を入力しデジタル動画データとしてハードディスク等の記録装置に記録する映像信号記録部と、前記映像信号記録部の作成したデジタル動画データを記録する記録装置と、記録装置に記録されたデジタル動画データを、複数の部分に分割してネットワーク上の複数のサーバーに保管し、また保管したデータをネットワークを通じて取出し、前記記録装置上に元の状態に復元する分散アーカイヴ処理部と、前記記録装置上のデジタル動画データを再生表示する映像信号再生部と、ネットワーク網とのインターフェースをとるネットワークインターフェース部とを備え、
前記分散アーカイヴ処理部は、保管対象のデジタル動画データを複数の部分に分割する分割手段と、分割保管されたデータを元の単一データファイルに復元する統合復元手段と、保管データを納めたデータサーバーとの間で定められた通信プロトコルによりデータファイルを転送するネットワーク通信手段と、新規にデータ保管を行う時に、データ保管場所および保管するデータの分割方法等を記録したデータ保管手順情報を記録するデータ管理手段と、から構成され、
前記データ管理手段は前記データ保管場所と前記データ保管手順情報からなる管理データまたはその管理データにアクセスするために情報を、ユーザー毎に１つだけ存在する管理フォルダの下に、分散保管されるデータファイル毎に用意されるフォルダの中に記録する、
ことにより、デジタル動画データをネットワーク上の複数のサーバーに保管管理できることを特徴とするビデオアーカイヴ装置。
【請求項２】
前記分割手段は、対象データを分割した後暗号化するか、または暗号化を施した後に分割して保管すべき複数の分割データを作成することができ、前記データ管理手段は、暗号化復号化に必要な暗号鍵情報等を前記データ保管手順情報に記録し、前記統合復元手段は、そのデータ保管手順情報に従って、保管されていた分割データを復号化してから統合化するか、または先に統合してから復号化するかして、元のデータに復元する請求項１に記載のビデオアーカイヴ装置。
【請求項３】
前記分割手段は、対象データを分割する前か後に、一定の規則に従ってダミーデータを付加することができ、前記データ管理手段は、前記ダミーデータ付加規則を前記データ保管手順情報に記録し、前記統合復元手段は、そのデータ保管手順情報に従って、保管されていた分割データを統合化する前か後に、ダミーデータを除去する請求項１に記載のビデオアーカイヴ装置。
【請求項４】
前記分割手段は、対象データを分割、または分割した後暗号化、または暗号化してから分割を行う前か後に、一定の規則に従ってダミーデータを付加することができ、前記データ管理手段は、前記ダミーデータ付加規則を前記データ保管手順情報に記録し、前記統合復元手段は、そのデータ保管手順情報に従って、保管されていた分割データを、統合化、または復号した後統合化、または統合した後復号化、を行う前か後に、ダミーデータを除去する請求項２に記載のビデオアーカイブ装置。
【請求項５】
保管すべく分割したデータを冗長性を持たせてネットワーク上の複数のデータサーバーに保管することにより、どれか一つのデータサーバーがダウンしても、他の正常なサーバーのデータだけから元のデータを復元できる請求項１から請求項４のいずれかに記載のビデオアーカイブ装置。
【請求項６】
請求項２から請求項５のいずれかに記載の１組の分割手段と統合復元手段において、分散保管するデータを、可逆的なデータ圧縮アルゴリズムを用いて圧縮して保管することを特徴とするビデオアーカイヴ装置。
【請求項８】
映像信号を入力しデジタル動画データとしてハードディスク等の記録装置に記録する映像信号記録部と、音声信号を入力しデジタル音声データとして記録装置に記録する音声信号記録部と、蓄積メディアに記録された映像、音声、静止画データを読み出すメディアドライヴ装置と、前記映像信号記録部および前記音声信号記録部の作成したデータまたは前記メディアドライヴ装置が読み出したデータを記録する記録装置と、この記録装置に記録されたデータを、複数の部分に分割してネットワーク上の複数のサーバーに保管し、また保管したデータをネットワークを通じて取出し、前記記録装置上に元の状態に復元する分散アーカイヴ処理部と、前記記録装置上の動画データまたは静止画データを映像信号として再生表示する映像信号再生部と、前記記録装置上の音声データを再生表示する音声信号再生部と、ネットワーク網とのインターフェースをとるネットワークインターフェース部とを備え、
前記分散アーカイヴ処理部は、保管対象のデジタル動画データを複数の部分に分割する分割手段と、分割保管されたデータを元の単一データファイルに復元する統合復元手段と、保管データを納めたデータサーバーとの間で定められた通信プロトコルによりデータファイルを転送するネットワーク通信手段と、新規にデータ保管を行う時に、データ保管場所および保管するデータの分割方法等を記録したデータ保管手順情報を記録するデータ管理手段と、から構成され、
前記データ管理手段は前記データ保管場所と前記データ保管手順情報からなる管理データまたはその管理データにアクセスするために情報を、ユーザー毎に１つだけ存在する管理フォルダの下に、分散保管されるデータファイル毎に用意されるフォルダの中に記録する、
ことにより、マルチメディアデータをネットワーク上の複数のサーバーに保管管理できることを特徴とするマルチメディアアーカイヴ装置。
【発明の詳細な説明】
【０００１】
【発明の属する技術分野】
本発明は、インターネット等からダウンロードしたデータをネットワーク上に存在する複数のデータ保管場所へ保管する機能を有した分散型データアーカイヴシステムおよびネットワーク端末装置に関する。
【０００２】
【従来技術】
現在、インターネットを通じて音楽データ等のコンテンツデータを利用者のコンピュータ等にダウンロードさせるサービスが提供されている。しかし、動画音声データは、データサイズが大きいため、利用者は自分のコンピュータ等のハードディスク容量の制約を越えて多くのダウンロードコンテンツを自分のコンピュータ等に保管することはできない。
【０００３】
ＢＳデジタル放送がスタートし、ＴＶ番組を画質劣化の心配のないデジタルデータの形で録画できる装置が市販されるようになった。録画データはビデオテープ等に記録して保管するが、録画本数が増えるとビデオテープの保管場所の確保が困難となり、管理が煩雑となる。
【０００４】
一方、貴重なデジタルデータのバックアップ技術として国際公開番号WO 01/46808 A1「分散データアーカイブ装置およびシステム」が本件出願と同一の出願人より出願されている。WO 01/46808 A1では、携帯可能記録媒体読取り書き込み手段と、認証手段と、保管すべき対象データを分割し暗号化する分割暗号化手段と、その逆処理を行う復号化統合手段と、保管データの管理を行うデータ管理手段と、ネットワーク通信手段と、を備えた分散型データアーカイヴ装置であって、前記携帯可能記録媒体が保持しているデータ保管場所情報、データ保管手順情報にしたがって、対象デジタルデータを、ネットワーク上の複数のサーバーに分割してデータを保管するとともに、前記携帯可能記録媒体が保持しているデータ保管場所情報およびデータ保管手順情報にしたがって、ネットワーク上の複数のサーバーに分割して保管されている対象データを、復号化し合成して、利用者に提供する分散型データアーカイヴ装置が開示されている。
【０００５】
WO 01/46808 A1では、保管データに関するデータ保管場所情報、データ保管手順情報は、装置内の所定の場所に記録されるか、または、ＩＣカード等の携帯可能記録媒体に記録する。後者の場合は、この携帯可能記録媒体があれば、データを保管した時に使用した分散型データアーカイヴ装置と別な分散型データアーカイヴ装置上でも保管したデータにアクセスすることが可能なことが特徴である。
【０００６】
しかしながら、WO 01/46808 A1は、一般的なデータ保管の問題を解決する目的の装置、あるいはシステムとして発明されたもので、今後利用が増えると予想される映像あるいはマルチメディアの大容量のコンテンツデータを主として私的に保管管理する場合を想定したものではない。
【０００７】
【発明が解決しようとする課題】
本発明はこのような問題点を考慮してなされたものであり、利用者が保管したい映像データなどの大容量のデータを安全な形態で、ネットワーク上に分散して保管することを可能とする装置を提供することを課題とする。
【０００８】
【課題を解決するための手段】
上記課題を解決するための第１の発明は、デジタル動画データをネットワーク上の複数のサーバーに保管管理できることを特徴とするビデオアーカイヴ装置であって、そのもっとも基本的な第１の態様は、映像信号を入力しデジタル動画データとしてハードディスク等の記録装置に記録する映像信号記録部と、前記映像信号記録部の作成したデジタル動画データを記録する記録装置と、記録装置に記録されたデジタル動画データを、複数の部分に分割してネットワーク上の複数のサーバーに保管し、また保管したデータをネットワークを通じて取出し、前記記録装置上に元の状態に復元する分散アーカイヴ処理部と、前記記録装置上のデジタル動画データを再生表示する映像信号再生部と、ネットワーク網とのインターフェースをとるネットワークインターフェース部とを備え、
前記分散アーカイヴ処理部は、保管対象のデジタル動画データを複数の部分に分割する分割手段と、分割保管されたデータを元の単一データファイルに復元する統合復元手段と、保管データを納めたデータサーバーとの間で定められた通信プロトコルによりデータファイルを転送するネットワーク通信手段と、新規にデータ保管を行う時に、データ保管場所および保管するデータの分割方法等を記録したデータ保管手順情報を記録するデータ管理手段と、から構成され、
前記データ管理手段は前記データ保管場所と前記データ保管手順情報からなる管理データまたはその管理データにアクセスするために情報を、ユーザー毎に１つだけ存在する管理フォルダの下に、分散保管されるデータファイル毎に用意されるフォルダの中に記録することを特徴とするものである。
【０００９】
分散アーカイヴ処理部の働きにより、映像データなどの大容量のデータを、磁気テープ等の外部記録媒体に記録して保管する必要がなく、記録媒体の保管スペースが不要で、保管管理に煩わされることもない。また、データを分割して複数のサーバーに保管すれば、貴重なデータの盗み出しは困難である。前記ビデオアーカイヴ装置は、内蔵するメモリ装置に記録されたデータ保管場所情報およびデータ保管手順情報にしたがって、対象デジタルデータを、分割した部分毎に、ネットワーク上の複数のサーバーに分割して転送して保管させるとともに、前記記録されたデータ保管場所情報およびデータ保管手順情報にしたがって、ネットワーク上の複数のサーバーに分割して保管されている対象データを取り出し、合成して元のファイルに復元して、利用者に提供することにより自宅に設置されたビデオアーカイヴ装置の記憶容量に制約されることなく大量のデータを保管可能となる。また、保存するデータファイルだけではなく、そのデータファイルの管理データの内容もネットワーク上のデータサーバーに記録される。このように管理データの内容を間接的に記録する方法のメリットは、ユーザー毎の管理フォルダの記憶スペースが節約できることである。
【００１２】
利用者は、データ保管場所情報およびデータ保管手順情報を記録した保管データファイルを指定することにより、いつでも保管したデータをネットワーク上から取り戻して、元のデータに復元して再生することができる。
【００１３】
さらに、前記分割手段は、対象データを分割した後暗号化するか、または暗号化を施した後に分割して保管すべき複数の分割データを作成することができ、前記データ管理手段は、暗号化復号化に必要な暗号鍵情報等を前記データ保管手順情報に記録し、前記統合復元手段は、そのデータ保管手順情報に従って、保管されていた分割データを復号化してから統合化するか、または先に統合してから復号化するかして、元のデータに復元するようにビデオアーカイヴ装置を構成すると、より強力な効果を奏する。
【００１４】
個々の分割データを暗号化すれば、元のデータを知ることは困難であり、インターネットのようなオープンなネットワーク上でデータを保管しても、データを取り出す時に盗み見される心配は実質的に無い。従ってデジタルビデオカメラ等で収録した個人的な映像等も安心してデータアーカイヴできる。
【００１５】
さらに、前記分割手段は、対象データを分割、または分割した後暗号化、または暗号化してから分割を行う前か後に、一定の規則に従ってダミーデータを付加することができ、前記データ管理手段は、前記ダミーデータ付加規則を前記データ保管手順情報に記録し、前記統合復元手段は、そのデータ保管手順情報に従って、保管されていた分割データを、統合化、または復号した後統合化、または統合した後復号化、を行う前か後に、ダミーデータを除去するように構成すると、データを盗み見され万一復号化されても完全な復元に至らないので、保管データを盗まれた場合の安全性の面でさらに強力な効果を奏する。
【００１６】
さらに、分割したデータを冗長性を持たせて複数のデータサーバーに保管することにより、どれか一つのデータサーバーがダウンしても、他の正常なサーバーのデータだけから元のデータを復元できるようビデオアーカイヴ装置を構成することもできる。データサーバー自体がダウンすることも考慮すると、このような分散型データアーカイヴの仕組みはより安全である。
【００１７】
また、第１の発明のビデオアーカイヴ装置における１組の分割手段と統合復元手段において、分散保管するデータを、可逆的なデータ圧縮アルゴリズムを用いて圧縮して保管し、統合復元する際に、圧縮して記録したデータを伸張させる処理ステップを加えた構成としたものであってもよい。
【００１８】
課題を解決する第２の発明は、映像信号を入力しデジタル動画データとしてハードディスク等の記録装置に記録する映像信号記録部と、音声信号を入力しデジタル音声データとして記録装置に記録する音声信号記録部と、蓄積メディアに記録された映像、音声、静止画データを読み出すメディアドライヴ装置と、前記映像信号記録部および前記音声信号記録部の作成したデータまたは前記メディアドライヴ装置が読み出したデータを記録する記録装置と、この記録装置に記録されたデータを、複数の部分に分割してネットワーク上の複数のサーバーに保管し、また保管したデータをネットワークを通じて取出し、前記記録装置上に元の状態に復元する分散アーカイヴ処理部と、前記記録装置上の動画データまたは静止画データを映像信号として再生表示する映像信号再生部と、前記記録装置上の音声データを再生表示する音声信号再生部と、ネットワーク網とのインターフェースをとるネットワークインターフェース部と
を備えることにより、マルチメディアデータをネットワーク上の複数のサーバーに保管管理できることを特徴とするマルチメディアアーカイヴ装置である。
【００１９】
【発明の実施の形態】
以下、本発明の実施の形態を説明する。最初に、本発明の正しい理解を促すために、本発明の基礎となるWO 01/46808 A1の一実施形態である分散型データアーカイヴ装置をまず説明し、その後で、本発明に係る実施形態であるビデオアーカイヴ装置を説明することとする。
【００２０】
図１は分散型データアーカイヴシステムの全体構成図である。３は分散型データアーカイヴ装置である。分散型データアーカイヴ装置３は、ネットワーク９を介して複数のデータサーバー２（図１では２ａ、２ｂ、２ｃ、…）と論理的に接続され、分散型データアーカイヴシステム１を構成する。ネットワーク９はインターネットを想定してよい。分散型データアーカイヴ装置３はそのシステム１の中核をなす装置ということができる。分散型データアーカイヴ装置３は、ダウンロード手段手段１１、分割・暗号化手段１３、復号化・統合手段１４、データ管理手段１５、ネットワーク手段１６を備える。一方、データサーバー２はサーバー本体２０と外部ストレージ２１から構成される。
【００２１】
利用者は、ダウンロード手段１１を通じて、ＵＲＩ（Uniform Resource Identifier）を指定することによりネットワーク９上のサーバー８から音楽データ等のコンテンツデータを入手する。入手したデータを、分割・暗号化手段１３の働きにより分割し暗号化して、複数のデータサーバー２にバラバラにして保存させることができる。データを保存する時に、データ管理手段１５の働きによりデータの保存場所や保存手順を記録した管理データを作成する。
【００２２】
利用者は、一度データサーバー２に保存したデータについての管理データファイルを指定することにより、復号化・統合手段１４を起動させて、保存したデータを、取出し元のデータに復元することができる。復号化・統合手段１４は、一度保存したデータが暗号化されていればそれを復号し、分割されバラバラになっていたデータの固まりを一つにつなげて元の状態に復元する。
【００２３】
分散型アーカイヴ装置３は、コンピュータ本体に、ダウンロード手段１１、分割・暗号化手段１３、復号化・統合手段１４、データ管理手段１５、ネットワーク手段１６の各機能を実現するソフトウエアプログラムモジュールを組込むことで実現できる。従って図１に図示していないがハードディスク装置等の記憶装置を内蔵している。ダウンロード手段１１は、コンピュータ本体に、ＯＳとともに組込まれているか、またはインターネットから入手可能なＷＷＷ（World Wide Web）ブラウザを利用する。ダウンロードするコンテンツデータのデータ形式によっては、さらに別なプログラムを必要とする場合もあるが、そのようなプログラムは通常インターネットから有償または無償で入手できる。分割・暗号化手段１３、復号化・統合手段１４、データ管理手段１５、ネットワーク手段１６については後述する。１９は管理データであって、分散型データアーカイヴ装置３の内蔵する記憶装置に記録される。
【００２４】
図２は、管理データ１９を説明する図である。管理データ１９は内蔵するハードディスク装置の、ユーザー毎に１つだけ存在する管理フォルダの下に、分散保管されるデータファイル毎に用意されるフォルダの中に記録されている。図２ではユーザーＡの管理フォルダの中にfile1、file2およびfile3に対応する各フォルダがある。したがってそれら３ファイルが分散型データアーカイヴ装置３で保管処理された事が分かる。それらの各フォルダの中に当該ファイルを復元するために必要な情報である管理データ１９、すなわちファイル分割方法、暗号化方法、分割・暗号化の順番、冗長格納方法を表す識別文字、数字または条件式および保管サーバーのアドレス（ＵＲＩ）のリストが作成され記録される。尚ユーザーＡの管理フォルダは、ユーザーＡのパスワードを記憶しており、管理フォルダを開く際はパスワードを要求する。
【００２５】
図７は、ユーザー毎の管理フォルダと管理データ１９の構成方法の別な態様を説明する図である。図２のように管理データ１９の内容を直接file1、file2およびfile3の各フォルダの中に記録するのではなく、管理データ１９にアクセスするための情報（ＵＲＩ等）を持たせる方法である。従って図７の場合には、保存するデータファイルだけではなく、そのデータファイルの管理データの内容もネットワーク上のデータサーバー２に記録される。このように管理データ１９の内容を間接的に記録する方法のメリットは、ユーザー毎の管理フォルダの記憶スペースが節約できることである。
【００２６】
図３は、分散型データアーカイヴ装置３の動作の流れを示すフローチャートである。以下、図３のフローに従って、分散型データアーカイヴ装置３の働きを説明する。以下のフローの説明では、ユーザー毎の管理フォルダと管理データ１９の構成は図２の場合であるとして説明する。
【００２７】
利用者が自分の管理フォルダを開こうとすると、フォルダに設定されたパスワードを要求する（Ｓ１）。ここで正しいユーザーパスワードが入力された場合に限り、データ管理手段１５の働きにより、当該利用者の管理フォルダの内容を読みだし、過去に外部に保管委託したデータファイル名を表示し、操作メニューも表示する（Ｓ５）。次に、操作者の対話的な操作入力を待つ（Ｓ７）。
【００２８】
操作者が、操作メニューから新規保管を選択した場合は、操作者は分散型データアーカイヴ装置３のコンピュータのＯＳのコマンド操作により対象ファイルを指定する（Ｓ１１）。次にデータ管理手段１５が提供するメニュー画面（以下同じ）よりファイル分割方法を指定する（Ｓ１３）。ファイル分割方法は、1つの分割ファイル中の有効データ量が固定の場合と、分割ファイル毎にある数式によって有効データ量を決めて、その後にダミーデータを詰めるやり方が有る。どちらの場合も作成される分割ファイルは固定長であるとする。このようにして決定した、分割ファイルの個数、各分割ファイルの有効データ長、分割ファイルのサイズを決める。次に暗号化方法を決める。これは各分割ファイル毎に、暗号化するかしないか、する場合は暗号化方法、暗号鍵を設定する（Ｓ１７）。
【００２９】
次に、冗長格納方法を指定する（Ｓ１９）。冗長格納方式は、一般にＲＡＩＤディスク等で用いられるミラーリング、パリティファイル作成の２通りの方法を選択できる。ミラーリングの場合には、分割ファイルごとに、正と副の２か所の異なるサーバーに保管するだけで特別なパラメータ指定は不要である。一方、パリティファイル作成の場合は、データを複数のファイルに分割する単位であるブロック長と、幾つのファイルに分割するかを示す分割数のパラメータを指定する。
【００３０】
次に、分割・暗号化手段１３が呼び出され、これまで指定された方法にしたがって分割暗号化を行い、分割ファイルを作成する（Ｓ２３）。パリティファイル作成方式で冗長格納する場合は、分割・暗号化手段１３により作成された複数の分割ファイルを、単純につなぎあわせて一つのデータファイルとした後、これを先に指定したパラメータにしたがって、複数の記録用ファイルに分割し、かつ、データ修復用のパリティファイルを一つ作成する。
【００３１】
次に保管サーバーを確保して（Ｓ２９）、分割ファイルを１つ保管サーバーに転送する（Ｓ３１）。尚、ミラーリング方式で冗長格納する場合は、前記分割ファイルを正、副の異なる２箇所のサーバーに転送する。また、パリティファイル作成方式で冗長格納する場合は、転送する対象は、先に説明した複数の記録用ファイルと１つのパリティファイルである。
【００３２】
この転送は、ネットワーク手段１６により、インターネットの標準技術であるファイルトランスファプロトコル（File Transfer Protocol、以下ＦＴＰ）に則って実行される。具体的には例えば、保管用のＦＴＰサーバーのＵＲＩを１０箇所ほど記録した設定ファイルを、分散型データアーカイヴ装置３の外部記憶装置内に予め用意しておき、この設定ファイルのＵＲＩリストに記述されているＦＴＰサーバーの一つを適当に選択して、分割データファイルを転送し、うまく転送できたら、次の分割ファイルの転送を、ＵＲＩリストの次のＦＴＰサーバーに対して行うように実現してもよい。転送が何らかの理由で失敗した場合は、ＵＲＩリストの次のＦＴＰサーバーに変更して、分割データファイルの転送をやり直す。このようにして、ステップＳ２９およびＳ３１が実行される。これを必要な数の分割ファイルを転送し終えるまで繰り返す。最後に、データ管理手段１５の働きにより、保管したデータファイル名、データ保管手順（分割方法、暗号化方法、冗長格納方法）および転送先のＦＴＰサーバーのＵＲＩリストを順に記録した管理データ１９を作成し、当該利用者の個人フォルダの下の保管委託するデータファイルのファイル名を付したフォルダの中に記録する（Ｓ３７）。これで、１件のデータファイルのアーカイヴができたことになる。ステップＳ５に戻り、次のイベント待ちとなる。
【００３３】
操作者が、保管データの取り出しを指定した場合は、まず、操作者の管理フォルダの内容を表示させ、取出したいデータファイルに対応するフォルダの中に存在する管理データファイルを読込み（Ｓ４１）、対象ファイルの保管サーバーのＵＲＩと、データ保管手順情報を得る。次に、対象ファイルの分割ファイル（パリティファイル作成方式で冗長格納した場合は記録用ファイル）を、保管サーバーから読込み、復号化・統合手段１４の働きにより、復号化を行う（Ｓ４３）。同じく復号化・統合手段１４の働きにより、ファイル分割方法の記述から、分割ファイルから不要なダミーデータを除いて、正しくつなぎ合わせ一つのファイルに復元し、管理データ１９が格納されていたのと同じフォルダに復元されたファイルを置く（Ｓ５１）。このようにして保管されたデータを再び利用者の手元で閲覧することができるようになる。データの復元に必要な情報は対象ファイルの管理データファイル１９に記録され、分散データアーカイヴ装置３が自動的に復号化統合処理を行うため、利用者はそれが複数の分割ファイルから復元する必要があることを意識する必要が無い。
【００３４】
ステップＳ５で、操作者がメニューから終了を選択した場合は、それまでに復元されたファイルを消去して（Ｓ５３）、分散データアーカイヴ装置３の働きは終了する。
【００３５】
尚、図３では、取り出した分割ファイル毎に復号化した（Ｓ４３）後、全体の統合（Ｓ４７）を行うフローになっているが、データ保管手順情報に、分割と暗号化の順番を示す情報を記録させておけば、復号化・統合手段１４が、この情報にしたがって、復号化をどの段階でやるかを対象データにより対応させて行うように構成することは可能である。
【００３６】
また、分割・暗号化手段１３は、対象データを分割、または分割した後暗号化、または暗号化してから分割を行う前か後に、一定の規則に従ってダミーデータを付加することができるので、管理手順１９にて保管手順パラメータにその旨指定がある場合は、ステップＳ２３およびステップ４３で、ダミーデータを取除く処理を合わせて行う。
【００３７】
以上、分散型データアーカイヴ装置３を詳細に説明した。分割・暗号化手段１３、復号化・統合手段１４、データ管理手段１５の働きにより、インターネット９を通じてサーバー８からダウンロードしたデータファイルを、ネットワーク上の複数のデータサーバー２に分割して保管できるので、利用者は大量のダウンロードファイル等を分散型データアーカイヴ装置３上に全て保管するために必要な容量の記憶スペースを持つ必要がない。ユーザーは管理データ１９のみ管理しておけばよく、大量のデータを管理する煩雑さからも解放される。
【００３８】
次に、本発明の実施形態として、分散型データアーカイヴ装置３におけるデータを分割してネットワーク上に分散させて保管する仕組みを応用したビデオデータアーカイヴ装置を説明する。図４はビデオデータアーカイヴ装置４の全体構成図である。ビデオデータアーカイヴ装置４は分散データアーカイヴ装置３の分散アーカイヴ機能を使用して、ビデオ映像データの保管管理に特化させた専用装置である。図４で、３０は映像信号記録部である。ＴＶアンテナで受信された地上波またはＢＳアナログ放送のＴＶ信号をデジタル変換して、または、デジタル放送のＴＶ信号または、デジタルビデオカメラからのデジタル映像信号を受けて、ＭＰＥＧ方式の圧縮符号化を行ない、映像データをデジタルデータとしてハードディスク７０に記録する。映像信号記録部３０は、アナログ放送受信機からの信号をＡＤ変換するＡ／Ｄ変換部３１、映像信号を１フレームの静止画像データとして取込むフレーム同期部３３、ＭＰＥＧ方式の圧縮符号化を行うＭＰＥＧ符号化部３４、デジタル放送受信機からの信号あるいはデジタルビデオカメラからの映像信号を受けてＭＰＥＧ符号化部３４が処理できるデータ形式に変換するＤＶ復号部３２を備える。
【００３９】
４０は映像信号再生部である。ハードディスク７０に記録されているＭＰＥＧ形式で圧縮符号化されて記録されている映像データファイルを読み出し元の形に復号し、さらにアナログ信号に変換してＴＶモニタに出力するビデオ信号とする。映像信号再生部４０は、ＭＰＥＧ復号部４１、Ｄ／Ａ変換部４２を備える。
【００４０】
７０はハードディスクである。映画等の動画コンテンツデータ１本分程度は収容できる容量が最小限必要である。
【００４１】
５０は、分散アーカイヴ処理部である。図５にその詳細を示す。分割・暗号化手段５３、復号化・統合手段５４、データ管理手段５５、ネットワーク手段５６は、先に説明した分散型データアーカイヴ装置３の、分割・暗号化手段１３、復号化・統合手段１４、データ管理手段１５、ネットワーク手段１６と働きは同じである。
【００４２】
６０は、ネットワークインターフェース部である。インターネット９との物理的電気的なインターフェースをとる部分である。９０は、制御部である。利用者のリモコン等の操作による指令をセンサー９２に受けて、映像信号記録部３０、映像信号再生部４０、分散アーカイヴ処理部５０の各部の動作制御を行い、利用者のリモコン操作を促すメニュー、あるいは単なるテキスト文字を、ビデオアーカイヴ装置専用の小型液晶ディスプレイ９１に表示させる等の働きを行う。
【００４３】
図６は、ビデオデータアーカイヴ装置４の利用手順を説明するフロー図である。まず利用者は、リモコン操作等により、ＴＶ番組またはデジタルビデオカメラからのデータの記録を行う（Ｓ１００）。地上波放送やＢＳアナログ放送の場合は端子３８にＴＶ受信機からのケーブルを、デジタル放送またはデジタルビデオカメラの場合は端子３９にＴＶ受信機あるいはデジタルビデオカメラのケーブルを接続して信号を入力させ、ＭＰＥＧ符号化を行なったデータを作成し、適当な名前をつけてハードディスク７０に記録する。
【００４４】
次に分散アーカイヴ処理部５０の働きにより、作成したビデオデータファイルをインターネット上の幾つかのサーバーへ保管する（Ｓ１１０）。このとき、データ管理手段５５の働きによりビデオデータファイルの管理ファイル５９が作成され、分散アーカイヴ処理部５０が管理する記憶領域（実際にはハードディスク７０でよい）に記録される。この時のデータ保管パラメータはリモコン操作等により事前に決めておき、それにしたがってもよいし、その都度、設定させる方法でもよい。データ管理手段５５が、データ保管パラメータを読み出しディスプレイ９１に表示させ、または利用者に選択を促す表示をさせ、選択結果を読取って設定するものとする。
【００４５】
利用者はいつでも、アーカイヴしたビデオデータファイルの管理ファイル５９を選択することにより、保存データをインターネット９を通して、再読込み組み立てして、元のビデオデータファイルとしてハードディスク７０上に再現することができる（Ｓ１２０）。そして、再構成したビデオデータファイルを再生して映像を楽しむ（Ｓ１３０）。再生が終了したら、ビデオデータファイルは消去する。ハードディスク７０は、理論的には動画コンテンツ１本分のビデオデータファイルが収容できるスペースがあればよい。
【００４６】
以上、第１の発明の実施形態としてビデオアーカイヴ装置４を説明した。次に、第２の発明としてのマルチメディアアーカイヴ装置の実施形態を説明する。
【００４７】
図８は、マルチメディアアーカイヴ装置の一実施形態を説明するブロック構成図である。８０は音声信号記録部である。デジタル音声信号を圧縮して符号化する音声圧縮符号化部８１を内蔵しており、音声信号をデジタルデータとしてハードディスク７０に記録する。９３はメディアドライヴ装置である。ＣＤ、ＤＶＤ等の蓄積方メディアを読み出し、映像信号再生部４０または音声信号再生部８８を通して映像音声を再生してもよいし、ハードディスク７０に一時記録してもよい。音声信号再生部８８は、音声のみのデジタルデータをアナログ音声信号に変換し、音声信号出力端子４８に出力する。それ以外の構成部分は、ビデオアーカイヴ装置４の構成部分と同じである。結局、マルチメディアアーカイヴ装置５は、ビデオアーカイヴ装置４に、音声信号記録部８０、メディアドライヴ装置９３、音声信号再生部８８を付加した構成となっている。
【００４８】
マルチメディアアーカイヴ装置５は、ＴＶ番組やデジタルビデオのアーカイヴだけでなく、蓄積メディアデータのアーカイヴやそれらの音声のみのデータとしてのアーカイヴが可能である。分散アーカイヴ処理部５０はビデオアーカイヴ装置４のそれと共通なので、分散アーカイヴの機能自体はビデオアーカイヴ装置４と同じである。
【００４９】
以上、マルチメディアアーカイヴ装置５について簡単に述べた。ここで共通に利用される分散アーカイヴ処理部５０について補足する。分割・暗号化手段１３が図３のステップＳ２３で分割ファイルを作成する時、その最後に可逆的な圧縮アルゴリズムを用いて、分割ファイルを圧縮させる処理を含ませることもできる。その場合には、復号化・統合手段１４は、図３のステップＳ４３で分割ファイルの復号を行う時は、まず最初に圧縮を解凍する処理ステップを行う必要がある。この時使用する圧縮アルゴリズムは、可逆的に圧縮できるアルゴリズムであればなんでもよい。したがって、劇的な圧縮を期待することはできないが、いくらかでもアーカイヴスペースは節約できる。
【００５０】
【発明の効果】
以上説明したとおり、本発明のビデオデータアーカイヴ装置またはマルチメディアアーカイヴ装置によれば、大容量のコンテンツデータを、ネットワーク上の他のサーバーに分散させて保管するので、装置本体には大量の記憶容量を備える必要はなく、保管したコンテンツデータの管理ファイルさえあれば、いつでも保管したデータを復元して再生できるので、大量のビデオテープ等の保管場所や整理に悩まされることはないという顕著な効果を奏する。保管データは複数のサーバーに、冗長性を持たせて保管させることができるので、安全性も高い。保管データは必要に応じて暗号化して保管できるので、インターネット上の保管サーバーからデータを取り出す時に万一盗聴されても心配が無い。さらに選択により、圧縮して保管することにより、アーカイヴスペースの節約を図ることも可能である。また、保管先のサーバーは、インターネット標準プロトコルであるＦＴＰで接続できれば、他には特別な仕掛けは一切不要なので、保管先をかなり自由に選択できるためたいへん便利である。
【図面の簡単な説明】
【図１】  分散データアーカイヴ装置３の全体構成図である。
【図２】  管理フォルダおよび管理データの構成を示す図である。
【図３】  分散データアーカイヴ装置３の動作フローチャートである。
【図４】  本発明の実施形態に係るビデオアーカイヴ装置４の構成図である。
【図５】  分散アーカイブ処理部５０の詳細説明図である。
【図６】  ビデオアーカイヴ装置４の利用フロー図である。
【図７】  管理フォルダおよび管理データの構成の別な態様を示す図である。
【図８】  本発明の実施形態に係るマルチメディアアーカイヴ装置５の構成図である。
【符号の説明】
１      分散データアーカイヴシステム
２      データサーバー
３      分散データアーカイヴ装置
４      ビデオアーカイヴ装置
５      マルチメディアアーカイヴ装置
８      コンテンツサーバー
９      ネットワーク
１１    ダウンロード手段
１３    分割・暗号化手段
１４    復号化・統合手段
１５    データ管理手段
１６    ネットワーク手段
１９    管理データ
３０    映像信号記録部
３１    Ａ／Ｄ変換部
３２    ＤＶ復号部
３３    フレーム同期部
３４    ＭＰＥＧ符号化部
３８    アナログ映像信号入力端子
３９    デジタル映像信号入力端子
４０    映像信号再生部
４１    ＭＰＥＧ復号部
４２    Ｄ／Ａ変換部
４９    ビデオ信号出力端子
５０    分散アーカイヴ処理部
５３    分割・暗号化手段
５４    復号化・統合手段
５５    データ管理手段
５６    ネットワーク手段
５９    管理データ
６０    ネットワークインターフェース部
７０    ハードディスク装置
８０    音声信号記録部
８８    音声信号再生部
９０    制御部
９１    液晶モニタ
９２    リモコン信号センサ
９３    メディアドライヴ装置
【図１】
0004043800.tif 000002
【図２】
0004043800.tif 000003
【図３】
0004043800.tif 000004
【図４】
0004043800.tif 000005
【図５】
0004043800.tif 000006
【図６】
0004043800.tif 000007
【図７】
0004043800.tif 000008
【図８】
0004043800.tif 000009